(57)【要約】【課題】撮影ユニット内の防塵ユニットにより入力画像の写り込みに悪影響を与えるゴミや塵の光学部材への付着を確実且つ迅速に抑制し、更に簡易な構成を実現すべく組み立て性の向上を図った撮像装置を提供する。【解決手段】本発明の撮像装置は、撮像素子への塵埃付着を防止するため当該前面にて振動可能な防塵フィルタ３６と、この防塵フィルタ３６を振動させるための圧電素子４４と、この圧電素子４４を駆動して振動させる少なくとも駆動回路を実装したフレキシブルプリント基板３８と、このフレキシブルプリント基板３８、圧電素子４４、防塵フィルタ３６が設けられた支持台３０，３４と、からなる防塵ユニット６を組み立て性を考慮しつつ撮像ユニットに実装している。【選択図】    図３
2005020078.tif 000002
【特許請求の範囲】
【請求項１】
撮像素子の前面に配置され、上記撮像素子への塵埃付着を防止するため上記撮像素子の上記前面にて振動可能な光透過部材と、
上記光透過部材を振動させるための超音波振動素子と、
上記超音波振動素子を駆動して振動させる少なくとも駆動回路の一部と、
上記駆動回路を実装した電気回路基板と、
上記電気回路基板と超音波振動素子と光透過部材とが設けられた支持台と、
を有したことを特徴とする撮像装置。
【請求項２】
上記撮像素子を支持した基板を上記支持台に固定したことを特徴とする請求項１に記載の撮像装置。
【請求項３】
上記駆動回路の一部は駆動トランスを含むことを特徴とする請求項１に記載の撮像装置。
【請求項４】
撮影光を遮断するシャッタを更に有し、このシャッタの後方に上記光透過部材、上記撮像素子を順次配置したことを更に特徴とする請求項１に記載の撮像装置。
【請求項５】
照射された光に対応した画像信号を得る撮像素子と、
上記撮像素子の前面に配置され、当該撮像素子への塵埃付着を防止するため上記撮像素子の上記前面にて振動可能な光透過部材と、
上記光透過部材に固着され、当該光透過部材を振動させる超音波振動素子と、
上記超音波振動素子を駆動して振動させる少なくとも駆動回路の一部と、
上記駆動回路を実装した電気回路基板と、
上記電気回路基板と超音波振動素子と光透過部材とが設けられた支持台と、
が順次配置された撮像ユニットを有したことを特徴とする撮像装置。
【請求項６】
前板ユニットと、この前板ユニットに固定されるミラーユニットと、このミラーユニットに固定されるシャッタユニットと、このシャッタユニットに固定される防塵ユニットと、この防塵ユニットの所定の開口部に配設される撮像素子と、この撮像素子を支持する撮像素子支持板と、少なくとも上記前板ユニットに固定される電気基板と、が順次配置された撮像ユニットを有し、
上記防塵ユニットは、防塵フィルタと当該防塵フィルタを振動させるための圧電素子とを有し、当該圧電素子を電気的に駆動することで上記防塵フィルタを振動させて塵埃の付着を抑制することを特徴とする撮像装置。
【発明の詳細な説明】
【０００１】
【発明の属する技術分野】
本発明は、例えば電子カメラ等の撮像装置に係り、特にＣＣＤ（Ｃｈａｒｇｅ  Ｃｏｕｐｌｅｄ  Ｄｅｖｉｃｅ）等の撮像素子の表面等にゴミや塵埃等が付着又は堆積するのを抑制する撮像装置に関するものである。
【０００２】
【従来の技術】
近年、所謂一眼レフレックス方式のファインダ装置を具備すると共に、カメラ本体に対して撮影光学系を着脱自在となるように構成し、ユーザが所望とする撮影光学系を任意に着脱し交換することで、単一のカメラ本体において複数種類の撮影光学系を選択的に使用可能としたレンズ交換可能な電子カメラが一般的に実用化されている。このような電子カメラでは、撮影光学系をカメラ本体から取り外した際に、カメラ本体の内部に空気中に浮遊する塵埃等が侵入する可能性がある。また、カメラ本体の内部には、シャッタユニットやミラーユニット等の各機構が配設されていることから、これら機構の動作中にゴミ等が発生する場合もある。更に、撮影光学系をカメラ本体から取り外した際には、当該撮影光学系の後方に配置される撮像素子の受光面がカメラ内部の外気に露呈されるので、塵埃等が帯電作用等の要因で撮像素子の受光面付近に付着する。今日、このようなゴミや塵埃が入力画像の写り込みに悪影響を与えることが問題となっているが、当該ゴミや塵埃等の付着を抑制するために種々の技術が提案されている。
【０００３】
例えば、特許文献１では、光学機器の光路中に配設される光学部材や光電変換素子が帯電してゴミやケバが付着するのを抑制する技術が開示されている。すなわち、同技術では、カメラ内部の撮像素子の受光面を覆うカバー部材の表面に透明電極を設け、当該電極に直流電圧等を印加することで、帯電作用により撮像素子の受光面上に塵埃等が付着するのを抑制している。
【０００４】
【特許文献１】
特開２０００−２９１３２号公報
【０００５】
【発明が解決しようとする課題】
しかしながら、上記特許文献１に係る技術では、帯電した撮像素子の電荷を中和させることで塵埃が付着するのを抑制するものであることから、静電気に因らずに撮像素子の受光面付近に付着又は堆積したゴミや塵埃等に対しては、当該抑制効果が少ないものと考えられる。また、上記特許文献１に係る技術では、撮像ユニットの組み立て性に対して十分な配慮がなされていない。
【０００６】
本発明は、上記問題に鑑みてなされたもので、その目的とするところは、撮像ユニット内の防塵ユニットにより入力画像の写り込みに悪影響を与えるゴミや塵の光学部材への付着を確実且つ迅速に抑制し、更に簡易な構成を実現すべく組み立て性の向上を図った撮像装置を提供することにある。
【０００７】
【課題を解決するための手段】
上記目的を達成するために、本発明の第１の態様に係る撮像装置として、撮像素子の前面に配置され、上記撮像素子への塵埃付着を防止するため上記撮像素子の上記前面にて振動可能な光透過部材と、上記光透過部材を振動させるための超音波振動素子と、上記超音波振動素子を駆動して振動させる少なくとも駆動回路の一部と、上記駆動回路を実装した電気回路基板と、上記電気回路基板と超音波振動素子と光透過部材とが設けられた支持台と、を有したことを特徴とする撮像装置が提供される。この態様によれば、入力画像の写り込みに悪影響を与えるゴミや塵の付着を確実且つ迅速に抑制し、更に簡易な構成を実現すべく組み立て性の向上を図ることができる。
【０００８】
この第１の態様において、上記撮像素子を支持した基板を上記支持台に固定してもよい。さらに、この第１の態様において、上記駆動回路の一部は駆動トランスを含むこととしてもよい。そして、この第１の態様において、撮影光を遮断するシャッタを更に有し、このシャッタの後方に上記光透過部材、上記撮像素子を順次配置することとしてもよい。これらによれば、更に簡易な構成を実現すべく組み立て性の向上を図ることができる。
【０００９】
本発明の第２の態様に係る撮像装置として、照射された光に対応した画像信号を得る撮像素子と、上記撮像素子の前面に配置され、当該撮像素子への塵埃付着を防止するため上記撮像素子の上記前面にて振動可能な光透過部材と、上記光透過部材に固着され、当該光透過部材を振動させる超音波振動素子と、上記超音波振動素子を駆動して振動させる少なくとも駆動回路の一部と、上記駆動回路を実装した電気回路基板と、上記電気回路基板と超音波振動素子と光透過部材とが設けられた支持台と、が順次配置された撮像ユニットを有したことを特徴とする撮像装置が提供される。この態様によれば、入力画像の写り込みに悪影響を与えるゴミや塵の付着を確実且つ迅速に抑制し、更に組み立て性の向上を図った簡易な構成の撮像ユニットを実現することができる。
【００１０】
本発明の第３の態様に係る撮像装置として、前板ユニットと、この前板ユニットに固定されるミラーユニットと、このミラーユニットに固定されるシャッタユニットと、このシャッタユニットに固定される防塵ユニットと、この防塵ユニットの所定の開口部に配設される撮像素子と、この撮像素子を支持する撮像素子支持板と、少なくとも上記前板ユニットに固定される電気基板と、が順次配置された撮像ユニットを有し、上記防塵ユニットは、防塵フィルタと当該防塵フィルタを振動させるための圧電素子とを有し、当該圧電素子を電気的に駆動することで上記防塵フィルタを振動させて塵埃の付着を抑制することを特徴とする撮像装置が提供される。この態様によれば、入力画像の写り込みに悪影響を与えるゴミや塵の付着を確実且つ迅速に抑制し、更に組み立て性の向上を図った簡易な構成の撮像ユニットを実現することができる。
【００１１】
【発明の実施の形態】
以下、図面を参照して、本発明の実施の形態について説明する。
【００１２】
本発明の一実施の形態に係る撮像装置は、防塵のための各構成と駆動素子の一部を有する電気基板とを共に一つにまとめて防塵ユニットとし、撮像素子を有する電気基板の前面に配置し、シャッタユニットが取り付けられた前板ユニットの後方に当該防塵ユニットを取り付け、組み立て性の向上を図った点に特徴の一つがある。以下、これをふまえて、実施の形態について詳述する。
【００１３】
先ず、図１には、本発明の一実施の形態に係る撮像装置としてのデジタルカメラ１の主に電気系の構成を示し、その構成及び作用について説明する。
【００１４】
ここでは、一眼レフレックス方式のデジタルカメラを想定している。
【００１５】
この図１に示されるように、デジタルカメラ１には全体の制御を司るＣＰＵ１３が設けられている。このＣＰＵ１３には、制御バスを介して、記録媒体１４に画像データを送るための記録媒体インタフェイス１２、ＬＣＤ表示部９を駆動制御する表示回路１０、画像信号処理回路８、ワークメモリ１７、防塵フィルタ駆動部１１が通信自在に接続されている。さらに、撮影レンズ２の後方には、撮像ユニット３が配設されている。この撮像ユニット３は、ミラーユニット４、シャッタユニット５、防塵ユニット６、撮像素子７等を含んで構成されている。
【００１６】
このような構成において、撮影レンズ２を介して入射した被写体光は、撮像ユニット３内のミラーユニット４、シャッタユニット５、防塵ユニット６を介して撮像素子７の受光面に結像される。ミラーユニット４は、クイックリターンミラー等を備えている。シャッタユニット５は、撮像素子７の受光面への被写体光束の照射時間等を制御するシャッタ機構等を備えており、例えばフォーカルプレーン方式のシャッタ機構等が採用される。そして、防塵ユニット６は、撮像素子７の前面の所定位置に配設されており、当該撮像素子７の受光面への塵埃等の付着を抑制する薄板状の平面ガラスである防塵フィルタを備えている。このとき、発振器等からなる防塵フィルタ駆動部１１は、防塵ユニット６内の防塵フィルタを駆動させる。
【００１７】
撮像素子７は、撮影レンズ２を透過した被写体光束を自己の光電変換面に受けて光電変換処理を行うことによって、当該光電変換面に形成される被写体像に対応した画像信号を取得するものであって、例えば電荷結合素子（ＣＣＤ）等を採用することができる。撮像素子７は、撮影レンズ２を透過した被写体光束に基づいて形成される被写体像に対応した画像信号を出力する。
【００１８】
画像信号処理回路８は、この画像信号を受けて、当該画像信号に各種の画像処理を施す。ワークメモリ１７は、この画像信号処理回路８による処理済みの画像信号や画像データ、これらに付随する各種の情報等を一時的に記憶する。記録媒体１４は、記録媒体インタフェイス１２を介して、画像信号処理回路８によって生成された所定の形態の記録用の画像データを受け、自身の所定の領域に記録する。表示回路１０は、画像信号処理回路８によって処理済の画像信号を受けてＬＣＤ表示部９を用いて表示するのに最適な表示用の画像信号を生成する。ＬＣＤ表示部９では、この画像信号に基づいて所定の表示がなされる。
【００１９】
以上の他、電池１６は、例えば乾電池等の二次電池等からなる。そして、電源回路１５は、電池１６又は所定の接続ケーブル等により供給される外部電源（ＡＣ）からの電力を受けて、デジタルカメラ１を動作させるのに適するように制御し、各電気回路へと配電している。
【００２０】
次に、図２乃至図６を参照して、本発明の一実施の形態に係る撮像装置としてのデジタルカメラ１が備える撮像ユニット３の詳細な構成を説明する。
【００２１】
図２は撮像ユニット３を分解して示す要部分解斜視図であり、図３は防塵ユニット６を分解して示す分解斜視図であり、図４は防塵フィルタ３６と圧電素子４４との配設関係を詳細に示す分解斜視図であり、図５は図３のＡ−Ａ線に沿う断面図であり、図６は防塵ユニット６、撮像素子７、撮像素子支持板２３、電気基板２４等が一体に構成された場合の一部断面図である。
【００２２】
図２に示されるように、前板ユニット２０の光軸方向に延出された４本の支柱により規制される空間内には、当該前板ユニット２０の背面側よりミラーユニット４が挿入される。そして、このミラーユニット４の不図示のネジ孔に、前板ユニット２０の前面側から開口部２０ｂを介して挿入されたネジ２０ａが螺合される。これによって、前板ユニット２０にミラーユニット４が固定される。このミラーユニット４の側面部には反射・測光ユニット２１が固定されており、更にミラーユニット４の下面部にはＡＦユニット２５が固定されている。
【００２３】
そして、ミラーユニット４の背面側に設けられた凸部４ａ，４ｂにシャッタ地板保護シート２２の開口部２２ａ，２２ｂが位置合わせされ、当該シャッタ地板保護シートを挟んで、シャッタユニット５の後面側から開口部５ｂを介して挿入されたネジ５ａがミラーユニット４のネジ孔４ｃに螺合される。これにより、シャッタユニット５は、シャッタ地板保護シート２２を挟んで、ミラーユニット４に固定される。シャッタ地板保護シート２２は、被写体光束の必要光束を決めるアパーチャとしてのマスクとしての機能を主に奏するものであるが、不必要な太陽光からシャッタ地板を保護する保護機能も兼ね備えている。
【００２４】
シャッタユニット５の略円形状の溝部５ｃには、防塵ユニット６が、その一部をなす防塵フィルタ３６が位置合わせされた形で配設される。この溝部５ｃの径は防塵フィルタ３６の径と略一致するので、両者は略気密的に嵌合する。かかる構成によっても、フィルタ面に付着するゴミや塵埃等を抑制している。
【００２５】
そして、撮像素子７と撮像素子支持板２３とは、当該撮像素子７の電極が撮像素子支持板２３の開口部２３ｆより延出された形で接着剤により固着される。
【００２６】
両者は、撮像素子７の長手方向が防塵ユニット６の開口部６ｂにより位置規制された形で防塵ユニット６に背面側より挿入される。そして、撮像素子支持板２３の背面側より開口部２３ｄを介して挿入されたネジ２３ａが防塵ユニット６のネジ孔６ａに螺合される。これにより、防塵ユニット６に、撮像素子支持板２３が固定される。このとき、撮像素子支持板２３の背面側より開口部２３ｃを介して挿入されたネジ２３ｂは前板ユニット２０のネジ孔２０ｃに螺合され、撮像素子支持板２３の開口部２３ｅは前板ユニット２０の凸部２０ｅに嵌合される。これにより、撮像素子支持板２３は前板ユニット２０に固定される。
【００２７】
そして、電気基板２４の開口部２４ｃより撮像素子７の電極が延出されつつ電気基板２４が背面側から挿入され、電気基板２４の背面側より開口部２４ｂを介して挿入されたネジ２４ａが前板ユニット２０のネジ孔２０ｄに螺合される。こうして、前板ユニット２０に、電気基板２４が、ミラーユニット４、シャッタ地板保護シート２２、シャッタユニット５、防塵ユニット６、撮像素子７、撮像素子支持板２３を少なくとも間に介在させた形で固定される。この電気基板２４には、画像信号処理回路８やワークメモリ１７等からなる撮像系の電気回路が実装されているが、従来のデジタルカメラ等において適用される一般的なものであることから、これ以上の詳細な説明は省略する。
【００２８】
ここで、防塵ユニット６の構成について更に詳細に説明する。
【００２９】
図３に示されるように、支持台３４とフレキシブルプリント基板３８用の支持台３０は一体に成形されている。支持台３４には撮像素子７や光学ローパスフィルタ（以下、光学フィルタと称する）６３を装填するための開口部３２が設けられており、更に、Ｏリング（防塵シール部材）３５用の防塵溝部３１が設けられている。ここで、図４に示されるように、セラミックスから形成される圧電素子４４には、圧電素子４４の板厚保方向の被写体側の面に設けられた前面側電極４４ａとモニタ用電極４４ｂ、前面側電極４４ａの裏面に後面側電極４４ｃが設けられている。モニタ用電極４４ｂは、製造工程で圧電体４４が駆動しているかをモニタする為のものである。
【００３０】
図４では示していないが、前面側電極４４ａは、圧電素子４４の防塵フィルタ３６のとの接合面に設けられているが、フレキシブルプリント基板３８との電気的な接合を簡易にするために、圧電素子４４の外周側面の一部を通り圧電素子４４の後面側に図示のように引き伸ばされている。電極４４ａ，４４ｂ，４４ｃは、絶縁領域を介して独立した領域に区分されている。
【００３１】
このような構成より、フレキシブルプリント基板３８の電気的接点は、電極４４ａ，４４ｂ，４４ｃに対した接点を有して、それぞれが接続されるように圧電素子４４の後面側のみに接合される。そして、防塵フィルタ３６は、圧電素子４４の前面側に接着剤で接合される。尚、フレキシブルプリント基板３８上には、図３に示すように、駆動トランス３９やスイッチングトランジスタ４５等、圧電素子４４を駆動するための駆動回路の一部が配設されている。
【００３２】
さらに、図３、図６に示されるように、支持台３４の防塵溝部３１にはＯリング３５が嵌合され、更に当該Ｏリング３５の上には、前述したように防塵フィルタ３６と結合された圧電素子４４の後面側が当接される。そして、当該防塵フィルタ３６の前面側に押えシート部材４３が配設され、押えバネ部材４１により支持台３４に固定される（この例では、３箇所）。
【００３３】
このとき、押えシート部材４３の平面と押えバネ部材４１との間には、防塵フィルタ３６が振動駆動されるときに生ずる押えバネ部材４１の振動を抑えるための接着シート４２が介在する。尚、押えバネ部材４１を用いたのは、圧電素子４４による駆動を阻害しないで有効に発揮させる為である。
【００３４】
そして、図３に示されるように、フレキシブルプリント基板３８の後面に設けられた裏打基板３７がフレキ台３０の平面に当接するような位置関係で当該フレキシブルプリント基板３８がフレキ台３０にネジ４０によりネジ止めされる。
【００３５】
ここで、図３のＡ−Ａ線に沿う位置での断面図は図５に示されるが、フレキシブルプリント基板３８が支持台３４のエッジにより防塵フィルタ３６の振動中に破損しないように、支持台３０の一部領域にはゴム部材４６等の運動エネルギ吸収材が配設されている。また、Ｏリング３５を防塵溝部３１と圧電素子４４（一部はフレキシブルプリント基板３８）の間に介在させることで、支持台３４の開口部３２付近の気密性が高められている。かかる構成によっても、フィルタ面に付着するゴミや塵埃等を抑制している。
【００３６】
また、図６に示されるように、防塵ユニット６は撮像素子支持板２３に配設されるにあたり、受け部６８により位置規制されている。そして、撮像素子７の前面には、保護ガラス７０及び光学フィルタ（ローパスフィルタ）６３が順次配設されている。光学フィルタ６３の周縁はゴム材からなる防塵部材７２により被覆されている。この防塵部材７２の当接部６９を支持台３４の内面に当接させることで、空間７１内のゴミや塵埃等が光学フィルタ６３の前面に入り込むのを防止している。さらに、防塵部材７２の薄肉状の当接部６４を保護ガラス７０と光学フィルタ６３の間に密着させることで、空間７１内のゴミや塵埃等が保護ガラス７０の前面及び光学フィルタ６３の後面に入り込むのを防止している。この光学フィルタ６３及び防塵部材７２は、バネ部６０による光軸方向の弾性力を押え部材６１を介して光軸方向の撮像素子７側である後面方向に受け、撮像素子７側に押圧されている。尚、押え部材６１と光学フィルタ６３との間には、当該光学フィルタ６３を保護するための保護シート６２が設けられている。
【００３７】
次に、図７乃至図１０では、防塵フィルタ３６に対して２次振動を発生させた様子を示している。図７は、デジタルカメラ１における撮像ユニット３のうち防塵フィルタ３６及びこれに一体に設けられる圧電素子４４のみを取り出して示す正面図である。図８及び図９は、図７の圧電素子４４に対して印加した際の防塵フィルタ３６及び圧電素子４４の状態変化を示し、図８は図７のＢ−Ｂ線に沿う断面図、図９は図７のＣ−Ｃ線に沿う断面図である。更に、図１０は、実際に付着した塵埃等を振動により除去する様子を示す図である。
【００３８】
圧電素子４４に交流電圧を印加した場合には、防塵フィルタ３６は、図８及び図９において実線で示すように変形する一方、防塵フィルタ３６は、同図において点線で示すように変形振動することになる。この場合においては、図８、図９に示す符号３６ａ，３６ｂのように、この振動では二対の節が存在することになるが、振幅の節の位置では実質的には振幅は零になることから、節３６ａに対応する部位近傍に防塵フィルタ３６の押えバネ部材４１の凸部を当接させるように設定することで、振動を阻害することなく防塵フィルタ３６を効率的に支持し得ることになる。
【００３９】
この状態において、所定のときに防塵フィルタ駆動部１１を制御して、圧電素子４４に対して周期的な電圧を印加することで防塵フィルタ３６は振動し、当該防塵フィルタ３６の表面に付着した塵埃等は除去される。なお、このときの共振周波数は、防塵フィルタ３６の形状や板厚・材質等により決まるものである。この実施の形態では、一例として共振周波数を３０ｋＨｚ、板厚を０．６５ｍｍとしているが、これに限定されないことは勿論である。
【００４０】
以上は２次の振動を発生させる例を示したが、これよりも高次の振動を発生させるようにしてもよい。２次の振動を発生させた場合、防塵フィルタ３６の振幅によって生じる封止空間の容積変化は、符号Ｄ１で示す領域から符号Ｄ２で示す領域×２を差し引いた分（Ｄ１−（Ｄ２×２））となる。
【００４１】
ここで、図１０に示されるように、振動円弧軌跡の回転曲率は節３６ａ，３６ｂの位置に近づくにつれて大きくなるが、防塵フィルタ３６の表面に付着した塵埃等は、その円弧の接線方向に力を受けて飛ばされ、節３６ａ，３６ｂの位置に集まる。但し、実施の形態では、図９に示されるように防塵フィルタ３６を配設しているので、実際には重力で落され、塵受け部３３に集まることになる。
【００４２】
尚、請求項記載の光透過部材とは防塵フィルタ３６等に相当し、超音波振動素子とは圧電素子４４等に相当し、駆動回路の一部とは例えば駆動トランス３９やスイッチングトランジスタ４５等を含むものであり、電気回路基板とはフレキシブルプリント基板３８等に相当し、支持台とは支持台３０，３４等に相当するものである。また、シャッタは、シャッタユニット５に含まれる。但し、これらの関係に限定されないことは勿論である。
【００４３】
以上説明したように、本発明の実施の形態によれば、防塵のための防塵フィルタ３６や圧電素子４４、駆動素子の一部を有するフレキシブルプリント基板３８とを共に一つにまとめて防塵ユニット６とし、当該防塵ユニット６を撮像素子７を有する撮像素子支持板２３の前面に配置し、ミラーユニット４やシャッタユニット５が取り付けられた前板ユニット２０の後方に当該防塵ユニット６を取り付けた撮像ユニット３を採用することで、組み立て性の向上を図った撮像装置を提供することができることになる。
【００４４】
以上、本発明の実施の形態について説明したが、本発明はこれに限定されることなく、その趣旨を逸脱しない範囲で種々の改良、変更が可能であることは勿論である。撮像ユニットに防塵のための更なる構成を追加してもよい。
【００４５】
【発明の効果】
以上詳述したように、本発明によれば、撮影ユニット内の防塵ユニットにより入力画像の写り込みに悪影響を与えるゴミや塵の光学部材への付着を確実且つ迅速に抑制し、更に簡易な構成を実現すべく組み立て性の向上を図った撮像装置を提供することができる。
【図面の簡単な説明】
【図１】本発明の一実施の形態に係る撮像装置としてのデジタルカメラ１の主に電気系の構成を示す図である。
【図２】撮像ユニット３の詳細な構成を示す図である。
【図３】防塵ユニット６の詳細な構成を示す図である。
【図４】防塵ユニット６内の圧電素子４４の詳細な構成を示す図である。
【図５】図３のＡ−Ａ線に沿う断面図である。
【図６】撮像ユニットの一部断面図である。
【図７】撮像ユニット３の防塵フィルタ３６及びこれに一体に設けられる圧電素子４４のみを取り出して示した正面図である。
【図８】図８は図７のＢ−Ｂ線に沿う断面図である。
【図９】図９は図７のＣ−Ｃ線に沿う断面図である。
【図１０】防塵フィルタ３６に付着等して塵埃等を圧電素子４４の振動により除去する様子を示す図である。
【符号の説明】
１・・・カメラ、２・・・レンズ、３・・・撮像ユニット、４・・・ミラーユニット、５・・・シャッタユニット、６・・・防塵ユニット、７・・・撮像素子、８・・・画像信号処理回路、９・・・ＬＣＤ、１０・・・表示回路、１１・・・防塵フィルタ駆動部、１２・・・記録媒体インタフェイス、１３・・・ＣＰＵ、１４・・・記録媒体、１５・・・電源回路、１６・・・電池、２０・・・前板ユニット、２１・・・反射・測光ユニット、２２・・・シャッタ地板保護シート、２３・・・撮像素子支持板、２４・・・電気基板、２５・・・ＡＦユニット。
【図１】
2005020078.tif 000003
【図２】
2005020078.tif 000004
【図３】
2005020078.tif 000005
【図４】
2005020078.tif 000006
【図５】
2005020078.tif 000007
【図６】
2005020078.tif 000008
【図７】
2005020078.tif 000009
【図８】
2005020078.tif 000010
【図９】
2005020078.tif 000011
【図１０】
2005020078.tif 000012